(57)【特許請求の範囲】
【請求項１】
搬送波集成を支援する無線通信システムにおいてＵＥ（ｕｓｅｒ  ｅｑｕｉｐｍｅｎｔ）によってＤ２Ｄ（ｄｅｖｉｃｅ−ｔｏ−ｄｅｖｉｃｅ）信号を受信する方法であって、
ＷＡＮ（ｗｉｄｅ  ａｒｅａ  ｎｅｔｗｏｒｋ）ＦＤＤセル及びＷＡＮ  ＴＤＤセルを設定することであって、前記ＷＡＮ  ＦＤＤセルの上りリンク搬送波は、特定サブフレームにおいて前記Ｄ２Ｄ信号を受信するために再使用される、ことと、
前記ＷＡＮ  ＴＤＤセルのための受信回路（ＲＸ  ｃｈａｉｎ）が前記Ｄ２Ｄ信号を受信するように設定可能であることを報告することと、
前記ＷＡＮ  ＴＤＤセルが前記特定サブフレームにおいてＷＡＮ信号の受信を実行するように設定されるか否かに従って、前記ＷＡＮ  ＦＤＤセルの前記上りリンク搬送波上における前記Ｄ２Ｄ信号の受信を実行またはスキップすることと
を含み、
前記ＷＡＮ  ＴＤＤセルが前記特定サブフレームにおいて前記ＷＡＮ信号の受信を実行するように設定されないときに、前記ＷＡＮ  ＦＤＤセルの前記上りリンク搬送波上における前記Ｄ２Ｄ信号は、前記ＷＡＮ  ＴＤＤセルのための受信回路（ＲＸ  ｃｈａｉｎ）を用いることによって受信される、方法。
【請求項２】
前記特定サブフレームは、ｅＩＭＴＡ−ＴＤＤセル（ｅｎｈａｎｃｅｄ  ｉｎｔｅｒｆｅｒｅｎｃｅ  ｍａｎａｇｅｍｅｎｔ  ｆｏｒ  ｔｒａｆｆｉｃ  ａｄａｐｔａｔｉｏｎ−ｅｎａｂｌｅｄ  ＴＤＤ  ｃｅｌｌ）に対する下りリンクＨＡＲＱ参照設定上の上りリンクサブフレームに対応する、請求項１に記載の方法。
【請求項３】
前記ＷＡＮ  ＴＤＤセルは、プライマリセル（Ｐｃｅｌｌ）及びセカンダリセル（Ｓｃｅｌｌ）を含み、
前記特定サブフレームは、前記プライマリセル及び前記セカンダリセルの両方を上りリンクサブフレームとして用いる時点のサブフレームに対応する、請求項１に記載の方法。
【請求項４】
前記ＷＡＮ  ＦＤＤセルは、ＦＤＤプライマリセルに設定され、
前記ＷＡＮ  ＴＤＤセルは、ＴＤＤセカンダリセルに設定される、請求項１に記載の方法。
【請求項５】
前記ＷＡＮ  ＴＤＤセルは、ＴＤＤプライマリセルに設定され、
前記ＷＡＮ  ＦＤＤセルは、ＦＤＤセカンダリセルに設定される、請求項１に記載の方法。
【請求項６】
搬送波集成を支援する無線通信システムにおいてＤ２Ｄ（ｄｅｖｉｃｅ−ｔｏ−ｄｅｖｉｃｅ）信号を受信するＵＥ（ｕｓｅｒ  ｅｑｕｉｐｍｅｎｔ）であって、
無線周波数ユニットと、
プロセッサと
を備え、
前記プロセッサは、
ＷＡＮ（ｗｉｄｅ  ａｒｅａ  ｎｅｔｗｏｒｋ）ＦＤＤセル及びＷＡＮ  ＴＤＤセルを設定することであって、前記ＷＡＮ  ＦＤＤセルの上りリンク搬送波は、特定サブフレームにおいて前記Ｄ２Ｄ信号を受信するために再使用される、ことと、
前記ＷＡＮ  ＴＤＤセルのための受信回路（ＲＸ  ｃｈａｉｎ）が前記Ｄ２Ｄ信号を受信するように設定可能であることを報告するように前記無線周波数ユニットを制御することと、
前記ＷＡＮ  ＴＤＤセルが前記特定サブフレームにおいてＷＡＮ信号の受信を実行するように設定されるか否かに従って、前記ＷＡＮ  ＦＤＤセルの前記上りリンク搬送波上における前記Ｄ２Ｄ信号の受信を実行またはスキップすることと
を実行するように構成され、
前記ＷＡＮ  ＴＤＤセルが前記特定サブフレームにおいて前記ＷＡＮ信号の受信を実行するように設定されないときに、前記ＷＡＮ  ＦＤＤセルの前記上りリンク搬送波上における前記Ｄ２Ｄ信号は、前記ＷＡＮ  ＴＤＤセルのための受信回路（ＲＸ  ｃｈａｉｎ）を用いることによって受信される、ＵＥ。
【発明の詳細な説明】
【技術分野】
【０００１】
本発明は、無線通信システムに関し、特に、搬送波集成を支援する無線通信システムにおいてＤ２Ｄ（Ｄｅｖｉｃｅ−ｔｏ−Ｄｅｖｉｃｅ）信号を受信する方法及びそのための装置に関する。
【背景技術】
【０００２】
本発明を適用できる無線通信システムの一例として、３ＧＰＰＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ７及びＲｅｌｅａｓｅ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に下り又は上り送信サービスを提供する。異なったセルは、互いに異なった帯域幅を提供するように設定することができる。基地局は、複数の端末に関するデータ送受信を制御する。下りリンク（Ｄｏｗｎｌｉｎｋ；ＤＬ）データについて、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡ（登録商標）に基づいてＬＴＥまで開発されているが、ユーザと事業者の要求と期待は増す一方である。その上、他の無線接続技術の開発が続いており、将来、競争力を有するためには新しい技術進化が要求される。ビット当たりのコストの削減、サービス可用性の増大、柔軟な周波数バンドの使用、単純構造と開放型インターフェース、端末の適度な電力消耗などが要求される。
【０００７】
端末は、基地局の無線通信システムの効率的な運用を補助するために、現在チャネルの状態情報を基地局に周期的及び／又は非周期的に報告する。このように報告されるチャネルの状態情報は様々な状況を考慮して計算された結果を含み得るため、より効率的な報告方法が要求されている実情である。
【発明の概要】
【発明が解決しようとする課題】
【０００８】
上述したような議論に基づき、以下では搬送波集成を支援する無線通信システムにおいてＤ２Ｄ（Ｄｅｖｉｃｅ−ｔｏ−Ｄｅｖｉｃｅ）信号受信方法及びそのための装置を提案する。
【０００９】
本発明で遂げようとする技術的課題は上記の技術的課題に制限されず、言及していない他の技術的課題は、以下の記載から、本発明の属する技術の分野における通常の知識を有する者に明白に理解されるであろう。
【課題を解決するための手段】
【００１０】
上述した問題点を解決するための本発明の一態様である、ＦＤＤバンド（Ｆｒｅｑｕｅｎｃｙ  Ｄｉｖｉｓｉｏｎ  Ｄｕｐｌｅｘ  Ｂａｎｄ）及びＴＤＤバンド（Ｔｉｍｅ  Ｄｉｖｉｓｉｏｎ  Ｄｕｐｌｅｘ  Ｂａｎｄ）に基づく搬送波集成（Ｃａｒｒｉｅｒ  Ａｇｇｒｅｇａｔｉｏｎ）を支援する無線通信システムにおいて端末のＤ２Ｄ（Ｄｅｖｉｃｅ−ｔｏ−Ｄｅｖｉｃｅ）信号受信方法は、前記ＦＤＤバンド（Ｆｒｅｑｕｅｎｃｙ  Ｄｉｖｉｓｉｏｎ  Ｄｕｐｌｅｘ  Ｂａｎｄ）の下りリンク（Ｄｏｗｎｌｉｎｋ）セル上でＷＡＮ（Ｗｉｄｅ  Ａｒｅａ  Ｎｅｔｗｏｒｋ）信号が受信される特定サブフレーム上で、前記ＴＤＤバンドのＷＡＮ信号送受信の有無によって前記ＦＤＤバンドの上りリンク（Ｕｐｌｉｎｋ）セル上におけるＤ２Ｄ信号を受信するステップを含み、前記Ｄ２Ｄ信号は、前記ＴＤＤバンドがＷＡＮ信号を送信し、前記ＴＤＤバンドのための受信回路（ＲＸ  ｃｈａｉｎ）が前記ＦＤＤバンドの上りリンク（Ｕｐｌｉｎｋ）セルのために再設定される場合に受信されることを特徴とする。
【００１１】
なお、前記Ｄ２Ｄ信号は、前記ＴＤＤバンドがＷＡＮ信号を受信し、前記ＴＤＤバンドのための受信回路（ＲＸ  ｃｈａｉｎ）が前記ＴＤＤバンドの下りリンク信号受信のために用いられる場合に、受信されないことを特徴とする。
【００１２】
なお、前記端末は、前記ＦＤＤバンド上でＷＡＮ信号受信動作或いはＤ２Ｄ信号受信動作のいずれか一つだけが行われるように設定されたことを特徴とする。
【００１３】
なお、上記方法は、前記ＴＤＤバンドのための受信回路（ＲＸ  ｃｈａｉｎ）を前記ＦＤＤバンドの上りリンク（ｕｐｌｉｎｋ）セル上におけるＤ２Ｄ信号受信のために再設定可能か否かを基地局にシグナリングするステップをさらに含んでもよい。
【００１４】
なお、上記方法は、前記ＴＤＤバンドのための受信回路（ＲＸ  ｃｈａｉｎ）を前記Ｄ２Ｄ信号受信のために再設定可能である、少なくとも一つのセルに関する情報を基地局に報告するステップをさらに含んでもよい。
【００１５】
なお、前記特定サブフレームは、ｅＩＭＴＡ−ＴＤＤセル（ｅｎｈａｎｃｅｄ  ｉｎｔｅｒｆｅｒｅｎｃｅ  ｍａｎａｇｅｍｅｎｔ  ｆｏｒ  ｔｒａｆｆｉｃ  ａｄａｐｔｉｏｎ−ｅｎａｂｌｅｄ  ＴＤＤ  ｃｅｌｌ）に対する下りリンクＨＡＲＱ参照設定（Ｄｏｗｎｌｉｎｋ  ＨＡＲＱ  Ｒｅｆｅｒｅｎｃｅ  Ｃｏｎｆｉｇｕｒａｔｉｏｎ）上の上りリンクサブフレームであることを特徴とする。
【００１６】
なお、前記ＴＤＤバンドは、プライマリセル（Ｐｒｉｍａｒｙ  Ｃｅｌｌ；ＰＣｅｌｌ）及びセカンダリセル（Ｓｅｃｏｎｄａｒｙ  Ｃｅｌｌ；ＳＣｅｌｌ）を含み、前記特定サブフレームは、前記プライマリセル及び前記セカンダリセルの両方が上りリンクサブフレームで用いられる時点のサブフレームであることを特徴とする。
【００１７】
なお、前記ＦＤＤバンドは、ＦＤＤプライマリセルに設定され、前記ＴＤＤバンドは、ＴＤＤセカンダリセルに設定されてもよい。
【００１８】
なお、前記ＴＤＤバンドは、ＴＤＤプライマリセルに設定され、前記ＦＤＤバンドは、ＦＤＤセカンダリセルに設定されてもよい。
【００１９】
上述した問題点を解決するための本発明の他の態様である、ＦＤＤバンド（Ｆｒｅｑｕｅｎｃｙ  Ｄｉｖｉｓｉｏｎ  Ｄｕｐｌｅｘ  Ｂａｎｄ）及びＴＤＤバンド（Ｔｉｍｅ  Ｄｉｖｉｓｉｏｎ  Ｄｕｐｌｅｘ  Ｂａｎｄ）に基づく搬送波集成（Ｃａｒｒｉｅｒ  Ａｇｇｒｅｇａｔｉｏｎ）を支援する無線通信システムにおいてＤ２Ｄ（Ｄｅｖｉｃｅ−ｔｏ−Ｄｅｖｉｃｅ）信号を受信する端末は、無線周波数ユニット（Ｒａｄｉｏ  Ｆｒｅｑｕｅｎｃｙ  Ｕｎｉｔ）と、プロセッサ（Ｐｒｏｃｅｓｓｏｒ）とを備え、前記プロセッサは、前記ＦＤＤバンド（Ｆｒｅｑｕｅｎｃｙ  Ｄｉｖｉｓｉｏｎ  Ｄｕｐｌｅｘ  Ｂａｎｄ）の下りリンク（Ｄｏｗｎｌｉｎｋ）セル上でＷＡＮ（Ｗｉｄｅ  Ａｒｅａ  Ｎｅｔｗｏｒｋ）信号が受信される特定サブフレーム上で、前記ＴＤＤバンドのＷＡＮ信号送受信の有無によって前記ＦＤＤバンドの上りリンク（Ｕｐｌｉｎｋ）セル上におけるＤ２Ｄ信号を受信するように構成され、前記Ｄ２Ｄ信号は、前記ＴＤＤバンドがＷＡＮ信号を送信し、前記ＴＤＤバンドのための受信回路（ＲＸ  ｃｈａｉｎ）が前記ＦＤＤバンドの上りリンク（Ｕｐｌｉｎｋ）セルのために再設定される場合に受信されることを特徴とする。
本願明細書は、例えば、以下の項目も提供する。
（項目１）
ＦＤＤバンド（Ｆｒｅｑｕｅｎｃｙ  Ｄｉｖｉｓｉｏｎ  Ｄｕｐｌｅｘ  Ｂａｎｄ）及びＴＤＤバンド（Ｔｉｍｅ  Ｄｉｖｉｓｉｏｎ  Ｄｕｐｌｅｘ  Ｂａｎｄ）に基づく搬送波集成（Ｃａｒｒｉｅｒ  Ａｇｇｒｅｇａｔｉｏｎ）を支援する無線通信システムにおいて端末がＤ２Ｄ（Ｄｅｖｉｃｅ−ｔｏ−Ｄｅｖｉｃｅ）信号を受信する方法であって、
前記ＦＤＤバンド（Ｆｒｅｑｕｅｎｃｙ  Ｄｉｖｉｓｉｏｎ  Ｄｕｐｌｅｘ  Ｂａｎｄ）の下りリンク（Ｄｏｗｎｌｉｎｋ）セル上でＷＡＮ（Ｗｉｄｅ  Ａｒｅａ  Ｎｅｔｗｏｒｋ）信号が受信される特定サブフレーム上で、前記ＴＤＤバンドのＷＡＮ信号送受信の有無によって前記ＦＤＤバンドの上りリンク（Ｕｐｌｉｎｋ）セル上におけるＤ２Ｄ信号を受信するステップを含み、
前記Ｄ２Ｄ信号は、
前記ＴＤＤバンドがＷＡＮ信号を送信し、前記ＴＤＤバンドのための受信回路（ＲＸ  ｃｈａｉｎ）が前記ＦＤＤバンドの上りリンク（Ｕｐｌｉｎｋ）セルのために再設定される場合に受信されることを特徴とする、Ｄ２Ｄ信号受信方法。
（項目２）
前記Ｄ２Ｄ信号は、
前記ＴＤＤバンドがＷＡＮ信号を受信し、前記ＴＤＤバンドのための受信回路（ＲＸ  ｃｈａｉｎ）が前記ＴＤＤバンドの下りリンク信号受信のために用いられる場合に、受信されないことを特徴とする、項目１に記載のＤ２Ｄ信号受信方法。
（項目３）
前記端末は、
前記ＦＤＤバンド上でＷＡＮ信号受信動作或いはＤ２Ｄ信号受信動作のいずれか一つだけが行われるように設定されたことを特徴とする、項目１に記載のＤ２Ｄ信号受信方法。
（項目４）
前記ＴＤＤバンドのための受信回路（ＲＸ  ｃｈａｉｎ）を前記ＦＤＤバンドの上りリンク（ｕｐｌｉｎｋ）セル上におけるＤ２Ｄ信号受信のために再設定可能であるか否かを基地局にシグナリングするステップをさらに含む、項目１に記載のＤ２Ｄ信号受信方法。
（項目５）
前記ＴＤＤバンドのための受信回路（ＲＸ  ｃｈａｉｎ）を前記Ｄ２Ｄ信号受信のために再設定可能である、少なくとも一つのセルに関する情報を基地局に報告するステップをさらに含む、項目１に記載のＤ２Ｄ信号受信方法。
（項目６）
前記特定サブフレームは、
ｅＩＭＴＡ−ＴＤＤセル（ｅｎｈａｎｃｅｄ  ｉｎｔｅｒｆｅｒｅｎｃｅ  ｍａｎａｇｅｍｅｎｔ  ｆｏｒ  ｔｒａｆｆｉｃ  ａｄａｐｔｉｏｎ−ｅｎａｂｌｅｄ  ＴＤＤ  ｃｅｌｌ）に対する下りリンクＨＡＲＱ参照設定（Ｄｏｗｎｌｉｎｋ  ＨＡＲＱ  Ｒｅｆｅｒｅｎｃｅ  Ｃｏｎｆｉｇｕｒａｔｉｏｎ）上の上りリンクサブフレームであることを特徴とする、項目１に記載のＤ２Ｄ信号受信方法。
（項目７）
前記ＴＤＤバンドは、
プライマリセル（Ｐｒｉｍａｒｙ  Ｃｅｌｌ；ＰＣｅｌｌ）及びセカンダリセル（Ｓｅｃｏｎｄａｒｙ  Ｃｅｌｌ；ＳＣｅｌｌ）を含み、
前記特定サブフレームは、
前記プライマリセル及び前記セカンダリセルの両方が上りリンクサブフレームとして用いられる時点のサブフレームであることを特徴とする、項目１に記載のＤ２Ｄ信号受信方法。
（項目８）
前記ＦＤＤバンドは、ＦＤＤプライマリセルに設定され、
前記ＴＤＤバンドは、ＴＤＤセカンダリセルに設定される、項目１に記載のＤ２Ｄ信号受信方法
（項目９）
前記ＴＤＤバンドは、ＴＤＤプライマリセルに設定され、
前記ＦＤＤバンドは、ＦＤＤセカンダリセルに設定される、項目１に記載のＤ２Ｄ信号受信方法
（項目１０）
ＦＤＤバンド（Ｆｒｅｑｕｅｎｃｙ  Ｄｉｖｉｓｉｏｎ  Ｄｕｐｌｅｘ  Ｂａｎｄ）及びＴＤＤバンド（Ｔｉｍｅ  Ｄｉｖｉｓｉｏｎ  Ｄｕｐｌｅｘ  Ｂａｎｄ）に基づく搬送波集成（Ｃａｒｒｉｅｒ  Ａｇｇｒｅｇａｔｉｏｎ）を支援する無線通信システムにおいて、Ｄ２Ｄ（Ｄｅｖｉｃｅ−ｔｏ−Ｄｅｖｉｃｅ）信号を受信する端末であって、
無線周波数ユニット（Ｒａｄｉｏ  Ｆｒｅｑｕｅｎｃｙ  Ｕｎｉｔ）と、
プロセッサ（Ｐｒｏｃｅｓｓｏｒ）と、
を備え、
前記プロセッサは、前記ＦＤＤバンド（Ｆｒｅｑｕｅｎｃｙ  Ｄｉｖｉｓｉｏｎ  Ｄｕｐｌｅｘ  Ｂａｎｄ）の下りリンク（Ｄｏｗｎｌｉｎｋ）セル上でＷＡＮ（Ｗｉｄｅ  Ａｒｅａ  Ｎｅｔｗｏｒｋ）信号が受信される特定サブフレーム上で、前記ＴＤＤバンドのＷＡＮ信号送受信の有無によって前記ＦＤＤバンドの上りリンク（Ｕｐｌｉｎｋ）セル上におけるＤ２Ｄ信号を受信するように構成され、
前記Ｄ２Ｄ信号は、
前記ＴＤＤバンドがＷＡＮ信号を送信し、前記ＴＤＤバンドのための受信回路（ＲＸ  ｃｈａｉｎ）が前記ＦＤＤバンドの上りリンク（Ｕｐｌｉｎｋ）セルのために再設定される場合に受信されることを特徴とする、端末。
【発明の効果】
【００２０】
本発明の実施例によれば、無線通信システムにおいて効率的なＤ２Ｄ（Ｄｅｖｉｃｅ−ｔｏ−Ｄｅｖｉｃｅ）信号受信が可能になる。
【００２１】
本発明から得られる効果は、以上で言及した効果に制限されず、言及していない他の効果は、以下の記載から、本発明の属する技術の分野における通常の知識を有する者に明白に理解されるであろう。
【図面の簡単な説明】
【００２２】
本発明に関する理解を助けるために詳細な説明の一部として含まれる添付の図面は、本発明に関する実施例を提供し、詳細な説明と共に本発明の技術的思想を説明する。
【００２３】
【図１】無線通信システムの一例としてＥ−ＵＭＴＳネットワーク構造を概略的に例示する。
【００２４】
【図２】３ＧＰＰ無線接続ネットワーク規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を例示する。
【００２５】
【図３】３ＧＰＰシステムに用いられる物理チャネル及びこれらのチャネルを用いた一般的な信号伝送方法を例示する。
【００２６】
【図４】ＬＴＥシステムで用いられる無線フレームの構造を例示する。
【００２７】
【図５】下りリンクスロットに対するリソースグリッド（ｒｅｓｏｕｒｃｅ  ｇｒｉｄ）を例示する。
【００２８】
【図６】ＬＴＥシステムで用いられる下りリンク無線フレームの構造を例示する。
【００２９】
【図７】ＬＴＥシステムで用いられる上りリンクサブフレームの構造を例示する。
【００３０】
【図８】搬送波集成（Ｃａｒｒｉｅｒ  Ａｇｇｒｅｇａｔｉｏｎ）を説明するための参考図である。
【図９】搬送波集成（Ｃａｒｒｉｅｒ  Ａｇｇｒｅｇａｔｉｏｎ）を説明するための参考図である。
【００３１】
【図１０】Ｄ２Ｄ通信が行われるシナリオを説明するための参考図である。
【００３２】
【図１１】Ｄ２Ｄ通信を行う端末の受信端の受信回路／モジュールを説明するための参考図である。
【００３３】
【図１２】本発明の一実施例に適用可能な基地局及び端末を示す。
【発明を実施するための形態】
【００３４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進化したバージョンである。
【００３５】
説明を明確にするために、３ＧＰＰ  ＬＴＥ／ＬＴＥ−Ａを中心に記述するが、本発明の技術的思想がこれに制限されるわけではない。また、以下の説明で使われる特定用語は、本発明の理解を助けるために提供されるものであり、このような特定用語の使用は、本発明の技術的思想から逸脱しない範囲で他の形態に変更することもできる。
【００３６】
図２は、３ＧＰＰ無線接続ネットワーク規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。コントロールプレーンは、端末（Ｕｓｅｒ  Ｅｑｕｉｐｍｅｎｔ；ＵＥ）とネットワークが呼を管理するために用いる制御メッセージが送信される通路を意味する。ユーザプレーンは、アプリケーション層で生成されたデータ、例えば、音声データ又はインターネットパケットデータなどが送信される通路を意味する。
【００３７】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。この伝送チャネルを介して媒体接続制御層と物理層間にデータが移動する。送信側の物理層と受信側の物理層間は、物理チャネルを介してデータが移動する。この物理チャネルは、時間と周波数を無線リソースとして用いる。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３８】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性あるデータ送信を支援する。ＲＬＣ層の機能は、ＭＡＣ内部の機能ブロックとして具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に送信するために不要の制御情報を減らすヘッダー圧縮（Ｈｅａｄｅｒ  Ｃｏｍｐｒｅｓｓｉｏｎ）機能を果たす。
【００３９】
第３層の最下部に位置している無線リソース制御（Ｒａｄｉｏ  Ｒｅｓｏｕｒｃｅ  Ｃｏｎｔｒｏｌ；ＲＲＣ）層は、コントロールプレーンでのみ定義される。ＲＲＣ層は、無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワーク間のデータ伝達のために第２層によって提供されるサービスを意味する。そのために、端末とネットワークのＲＲＣ層は互いにＲＲＣメッセージを交換する。端末とネットワークのＲＲＣ層間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうでない場合、ＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００４０】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは異なった帯域幅を提供するように設定することができる。
【００４１】
ネットワークから端末にデータを送信する下り伝送チャネルは、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信されてもよく、又は別の下りＭＣＨ（Ｍｕｌｔｉｃａｓｔ  Ｃｈａｎｎｅｌ）を介して送信されてもよい。一方、端末からネットワークにデータを送信する上り伝送チャネルには、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に位置しており、伝送チャネルにマップされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４２】
図３は、３ＧＰＰ  ＬＴＥシステムに用いられる物理チャネル及びそれらを用いた一般的な信号送信方法を説明するための図である。
【００４３】
電源が消えた状態で電源がついたり、新しくセルに進入したりしたユーザ機器は、段階Ｓ３０１で、基地局と同期を取るなどの初期セル探索（Ｉｎｉｔｉａｌ  ｃｅｌｌ  ｓｅａｒｃｈ）作業を行う。そのために、ユーザ機器は基地局から１次同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信してセル内放送情報を取得することができる。一方、ユーザ機器は、初期セル探索段階で下りリンク参照信号（Ｄｏｗｎｌｉｎｋ  Ｒｅｆｅｒｅｎｃｅ  Ｓｉｇｎａｌ、ＤＬ  ＲＳ）を受信して下りリンクチャネル状態を確認することができる。
【００４４】
初期セル探索を終えたユーザ機器は、段階Ｓ３０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、及び物理下りリンク制御チャネル情報に基づく物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信し、より具体的なシステム情報を取得することができる。
【００４５】
その後、ユーザ機器は、基地局への接続を完了するために、段階Ｓ３０３乃至段階Ｓ３０６のようなランダムアクセス手順（Ｒａｎｄｏｍ  Ａｃｃｅｓｓ  Ｐｒｏｃｅｄｕｒｅ）を行うことができる。そのために、ユーザ機器は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を送信し（Ｓ３０３）、物理下りリンク制御チャネル及びこれに対応する物理下りリンク共有チャネルを介して、プリアンブルに対する応答メッセージを受信することができる（Ｓ３０４）。競合ベースランダムアクセスの場合、更なる物理ランダムアクセスチャネルの送信（Ｓ３０５）、及び物理下りリンク制御チャネル及びこれに対応する物理下りリンク共有チャネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００４６】
上述したような手順を行ったユーザ機器は、その後、一般的な上りリンク／下りリンク信号送信手順として、物理下りリンク制御チャネル／物理下りリンク共有チャネルの受信（Ｓ３０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）の送信（Ｓ３０８）を行うことができる。ユーザ機器が基地局に送信する制御情報を総称して上りリンク制御情報（Ｕｐｌｉｎｋ  Ｃｏｎｔｒｏｌ  Ｉｎｆｏｒｍａｔｉｏｎ、ＵＣＩ）という。ＵＣＩは、ＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書で、ＨＡＲＱ  ＡＣＫ／ＮＡＣＫは簡単に、ＨＡＲＱ−ＡＣＫ或いはＡＣＫ／ＮＡＣＫ（Ａ／Ｎ）と呼ぶ。ＨＡＲＱ−ＡＣＫは、ポジティブＡＣＫ（簡単に、ＡＣＫ）、ネガティブＡＣＫ（ＮＡＣＫ）、ＤＴＸ及びＮＡＣＫ／ＤＴＸのうち少なくとも一つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、一般にはＰＵＣＣＨを介して送信されるが、制御情報とトラフィックデータとが同時に送信されるべき場合にはＰＵＳＣＨを介して送信されてもよい。また、ネットワークの要請／指示に応じて、ＰＵＳＣＨを介してＵＣＩを非周期的に送信することもできる。
【００４７】
図４は、ＬＴＥシステムで用いられる無線フレームの構造を例示する図である。
【００４８】
図４を参照すると、セルラーＯＦＤＭ無線パケット通信システムにおいて、上りリンク／下りリンクデータパケット送信はサブフレーム（ｓｕｂｆｒａｍｅ）単位になされ、１サブフレームは、複数のＯＦＤＭシンボルを含む一定時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造、及びＴＤＤ（Ｔｉｍｅ  Ｄｉｖｉｓｉｏｎ  Ｄｕｐｌｅｘ）に適用可能なタイプ２の無線フレーム構造を支援する。
【００４９】
図４の（ａ）は、タイプ１無線フレームの構造を例示する。下りリンク無線フレーム（ｒａｄｉｏ  ｆｒａｍｅ）は、１０個のサブフレーム（ｓｕｂｆｒａｍｅ）で構成され、１サブフレームは、時間領域（ｔｉｍｅ  ｄｏｍａｉｎ）で２個のスロット（ｓｌｏｔ）で構成される。１サブフレーム）を送信するためにかかる時間をＴＴＩ（ｔｒａｎｓｍｉｓｓｉｏｎ  ｔｉｍｅ  ｉｎｔｅｒｖａｌ）という。例えば、１サブフレームの長さを１ｍｓ、１スロットの長さを０．５ｍｓとすることができる。１スロットは時間領域で複数のＯＦＤＭシンボルを含み、周波数領域で複数のリソースブロック（Ｒｅｓｏｕｒｃｅ  Ｂｌｏｃｋ；ＲＢ）を含む。３ＧＰＰ  ＬＴＥシステムでは下りリンクでＯＦＤＭＡが用いられるため、ＯＦＤＭシンボルが１シンボル区間を表す。ＯＦＤＭシンボルは、ＳＣ−ＦＤＭＡシンボル又はシンボル区間と呼ぶこともできる。リソース割り当て単位としてのリソースブロック（ＲＢ）は、１スロットで複数個の連続した副搬送波（ｓｕｂｃａｒｒｉｅｒ）を含むことができる。
【００５０】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって可変することができる。ＣＰには、拡張されたＣＰ（ｅｘｔｅｎｄｅｄ  ＣＰ）と標準ＣＰ（ｎｏｒｍａｌ  ＣＰ）がある。例えば、ＯＦＤＭシンボルが標準ＣＰによって構成された場合、１スロットに含まれるＯＦＤＭシンボルの数は７個であってよい。ＯＦＤＭシンボルが拡張されたＣＰによって構成された場合、１  ＯＦＤＭシンボルの長さが増加することから、１スロットに含まれるＯＦＤＭシンボルの数は、標準ＣＰの場合に比べて少ない。拡張されたＣＰの場合、例えば、１スロットに含まれるＯＦＤＭシンボルの数は６個であってもよい。ユーザ機器が速い速度で移動するなどしてチャネル状態が不安定な場合、シンボル間干渉をより減らすために、拡張されたＣＰを用いることができる。
【００５１】
標準ＣＰが用いられる場合、１スロットは７  ＯＦＤＭシンボルを含むため、１サブフレームは１４  ＯＦＤＭシンボルを含む。このとき、各サブフレームの先頭における最大３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００５２】
図４の（ｂ）は、タイプ２無線フレームの構造を例示する。タイプ２無線フレームは、２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）とで構成される。
【００５３】
特別サブフレームにおいて、ＤｗＰＴＳは、ユーザ機器における初期セル探索、同期化又はチャネル推定に用いられる。ＵｐＰＴＳは、基地局におけるチャネル推定とユーザ機器の上りリンク送信同期の獲得に用いられる。すなわち、ＤｗＰＴＳは下りリンク送信に、ＵｐＰＴＳは上りリンク送信に用いられ、特に、ＵｐＰＴＳはＰＲＡＣＨプリアンブルやＳＲＳ送信のために用いられる。また、保護区間は、上りリンクと下りリンクの間に下りリンク信号の多重経路遅延によって上りリンクで生じる干渉を除去するための区間である。
【００５４】
上記の特別サブフレームに関して現在３ＧＰＰ標準文書では下記の表１のように設定を定義している。表１で、
【化１】
0006421234.tif 000002
の場合に、ＤｗＰＴＳとＵｐＰＴＳを示しており、残りの領域が保護区間として設定される。
【００５５】
【表１】
0006421234.tif 000003
【００５６】
一方、タイプ２無線フレームの構造、すなわち、ＴＤＤシステムにおいて上りリンク／下りリンクサブフレーム設定（ＵＬ／ＤＬ  ｃｏｎｆｉｇｕｒａｔｉｏｎ）は、下記の表２のとおりである。
【００５７】
【表２】
0006421234.tif 000004
【００５８】
上記の表２で、Ｄは下りリンクサブフレーム、Ｕは上りリンクサブフレームを表し、Ｓは特別サブフレームを意味する。また、上記の表２では、それぞれの上りリンク／下りリンクサブフレーム設定において下りリンク−上りリンクスイッチング周期も表している。
【００５９】
上述した無線フレームの構造は例示に過ぎず、無線フレームに含まれるサブフレームの数、サブフレームに含まれるスロットの数、又はスロットに含まれるシンボルの数は様々に変更されてもよい。
【００６０】
図５は、下りリンクスロットのリソースグリッド（ｒｅｓｏｕｒｃｅ  ｇｒｉｄ）を例示する。
【００６１】
図５を参照すると、下りリンクスロットは、時間領域で
【化２】
0006421234.tif 000005
ＯＦＤＭシンボルを含み、周波数領域で
【化３】
0006421234.tif 000006
リソースブロックを含む。それぞれのリソースブロックが
【化４】
0006421234.tif 000007
副搬送波を含むので、下りリンクスロットは、周波数領域で
【化５】
0006421234.tif 000008
副搬送波を含む。図５は、下りリンクスロットが７  ＯＦＤＭシンボルを含み、リソースブロックが１２副搬送波を含むと例示しているが、必ずしもこれに制限されない。例えば、下りリンクスロットに含まれるＯＦＤＭシンボルの個数はサイクリックプレフィックス（Ｃｙｃｌｉｃ  Ｐｒｅｆｉｘ；ＣＰ）の長さによって変形されてもよい。
【００６２】
リソースグリッド上の各要素をリソース要素（Ｒｅｓｏｕｒｃｅ  Ｅｌｅｍｅｎｔ；ＲＥ）といい、１つのリソース要素は、１つのＯＦＤＭシンボルインデックス及び１つの副搬送波インデックスで示される。１つのＲＢは、
【化６】
0006421234.tif 000009
リソース要素で構成されている。下りリンクスロットに含まれるリソースブロックの数
【化７】
0006421234.tif 000010
は、セルで設定される下りリンク送信帯域幅（ｂａｎｄｗｉｄｔｈ）に従属する。
【００６３】
図６は、下りリンクサブフレームの構造を例示する。
【００６４】
図６を参照すると、サブフレームの第１スロットにおいて先頭における最大３（４）個のＯＦＤＭシンボルは、制御チャネルが割り当てられる制御領域に対応する。残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に該当する。ＬＴＥで用いられる下りリンク制御チャネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレーム内で制御チャネルの送信に用いられるＯＦＤＭシンボルの個数に関する情報を搬送する。ＰＨＩＣＨは、上りリンク送信に対する応答としてＨＡＲＱ  ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を搬送する。
【００６５】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と称する。ＤＣＩは、ユーザ機器又はユーザ機器グループのためのリソース割り当て情報及び他の制御情報を含む。例えば、ＤＣＩは、上りリンク／下りリンクスケジューリング情報、上りリンク送信（Ｔｘ）電力制御命令などを含む。
【００６６】
ＰＤＣＣＨは、下りリンク共有チャネル（ｄｏｗｎｌｉｎｋ  ｓｈａｒｅｄ  ｃｈａｎｎｅｌ；ＤＬ−ＳＣＨ）の送信フォーマット及びリソース割り当て情報、上りリンク共有チャネル（ｕｐｌｉｎｋ  ｓｈａｒｅｄ  ｃｈａｎｎｅｌ；ＵＬ−ＳＣＨ）の送信フォーマット及びリソース割り当て情報、ページングチャネル（ｐａｇｉｎｇ  ｃｈａｎｎｅｌ；ＰＣＨ）上のページング情報、ＤＬ−ＳＣＨ上のシステム情報、ＰＤＳＣＨ上で送信されるランダムアクセス応答のような上位層制御メッセージのリソース割り当て情報、ユーザ機器グループ内の個別ユーザ機器に対する送信電力制御命令セット、送信電力制御命令、ＶｏＩＰ（Ｖｏｉｃｅ  ｏｖｅｒ  ＩＰ）の活性化指示情報などを搬送する。複数のＰＤＣＣＨが制御領域内で送信されてもよく、ユーザ機器は、複数のＰＤＣＣＨをモニタすることができる。ＰＤＣＣＨは、１つ又は複数の連続した制御チャネル要素（ｃｏｎｔｒｏｌ  ｃｈａｎｎｅｌ  ｅｌｅｍｅｎｔ；ＣＣＥ）の集合（ａｇｇｒｅｇａｔｉｏｎ）上で送信される。ＣＣＥは、ＰＤＣＣＨに無線チャネル状態に基づくコーディングレートを提供するために用いられる論理的割り当てユニットである。ＣＣＥは、複数のリソース要素グループ（ｒｅｓｏｕｒｃｅ  ｅｌｅｍｅｎｔ  ｇｒｏｕｐ；ＲＥＧ）に対応する。ＰＤＣＣＨのフォーマット及びＰＤＣＣＨビットの個数はＣＣＥの個数によって決定される。基地局は、ユーザ機器に送信されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣは、ＰＤＣＣＨの所有者又は使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスクする。例えば、ＰＤＣＣＨが特定ユーザ機器のためのものであれば、該当のユーザ機器の識別子（例、ｃｅｌｌ−ＲＮＴＩ（Ｃ−ＲＮＴＩ））をＣＲＣにマスクすることができる。ＰＤＣＣＨがページングメッセージのためのものであれば、ページング識別子（例、ｐａｇｉｎｇ−ＲＮＴＩ（Ｐ−ＲＮＴＩ））をＣＲＣにマスクすることができる。ＰＤＣＣＨがシステム情報（より具体的に、システム情報ブロック（ｓｙｓｔｅｍ  Ｉｎｆｏｒｍａｔｉｏｎ  ｂｌｏｃｋ；ＳＩＢ））のためのものであれば、ＳＩ−ＲＮＴＩ（ｓｙｓｔｅｍ  Ｉｎｆｏｒｍａｔｉｏｎ  ＲＮＴＩ）をＣＲＣにマスクすることができる。ＰＤＣＣＨがランダムアクセス応答のためのものであれば、ＲＡ−ＲＮＴＩ（ｒａｎｄｏｍ  ａｃｃｅｓｓ−ＲＮＴＩ）をＣＲＣにマスクすることができる。
【００６７】
図７は、ＬＴＥで用いられる上りリンクサブフレームの構造を例示する。
【００６８】
図７を参照すると、上りリンクサブフレームは、複数（例、２個）のスロットを含む。スロットは、ＣＰ長によって異なる数のＳＣ−ＦＤＭＡシンボルを含むことができる。上りリンクサブフレームは、周波数領域でデータ領域と制御領域とに区別される。データ領域は、ＰＵＳＣＨを含み、音声などのデータ信号を送信するために用いられる。制御領域は、ＰＵＣＣＨを含み、上りリンク制御情報（Ｕｐｌｉｎｋ  Ｃｏｎｔｒｏｌ  Ｉｎｆｏｒｍａｔｉｏｎ；ＵＣＩ）を送信するために用いられる。ＰＵＣＣＨは、周波数軸においてデータ領域の両端部に位置したＲＢ対（ＲＢ  ｐａｉｒ）を含み、スロットを境界にホップする。
【００６９】
ＰＵＣＣＨは、次の制御情報を送信するために用いることができる。
【００７０】
−  ＳＲ（Ｓｃｈｅｄｕｌｉｎｇ  Ｒｅｑｕｅｓｔ）：上りリンクＵＬ−ＳＣＨリソースを要求するために用いられる情報である。ＯＯＫ（Ｏｎ−Ｏｆｆ  Ｋｅｙｉｎｇ）方式で送信される。
【００７１】
−  ＨＡＲＱ  ＡＣＫ／ＮＡＣＫ：ＰＤＳＣＨ上の下りリンクデータパケットに対する応答信号である。下りリンクデータパケットが成功的に受信されたか否かを示す。単一の下りリンクコードワードに対する応答として１ビットのＡＣＫ／ＮＡＣＫが送信され、２つの下りリンクコードワードに対する応答として２ビットのＡＣＫ／ＮＡＣＫが送信される。
【００７２】
−  ＣＳＩ（Ｃｈａｎｎｅｌ  Ｓｔａｔｅ  Ｉｎｆｏｒｍａｔｉｏｎ）：下りリンクチャネルに対するフィードバック情報である。ＣＳＩは、ＣＱＩ（Ｃｈａｎｎｅｌ  Ｑｕａｌｉｔｙ  Ｉｎｄｉｃａｔｏｒ）を含み、ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報は、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）などを含む。サブフレーム当たり２０ビットが用いられる。
【００７３】
ユーザ機器がサブフレームで送信可能な制御情報（ＵＣＩ）の量は、制御情報の送信に可用なＳＣ−ＦＤＭＡの個数に依存する。制御情報の送信に可用なＳＣ−ＦＤＭＡは、サブフレームにおいて参照信号の送信のためのＳＣ−ＦＤＭＡシンボルを除いた残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームではサブフレームの最後のＳＣ−ＦＤＭＡシンボルも除く。参照信号はＰＵＣＣＨのコヒーレント検出に用いられる。
【００７４】
図８には、キャリア併合（Ｃａｒｒｉｅｒ  Ａｇｇｒｅｇａｔｉｏｎ；ＣＡ）通信システムを例示する。
【００７５】
図８を参照すると、複数の上りリンク／下りリンクコンポーネント搬送波（Ｃｏｍｐｏｎｅｎｔ  Ｃａｒｒｉｅｒ；ＣＣ）を束ねてより広い上りリンク／下りリンク帯域幅をサポートすることができる。用語「コンポーネント搬送波（ＣＣ）」は、等価の他の用語（例、キャリア、セルなど）に言い換えてもよい。各ＣＣは周波数領域で互いに隣接しても非隣接してもよい。各コンポーネント搬送波の帯域幅は、独立して定められてもよい。ＵＬ  ＣＣの個数とＤＬ  ＣＣの個数とが異なる非対称の搬送波集成も可能である。一方、制御情報は、特定ＣＣでのみ送受信されるように設定されてもよい。このような特定のＣＣをプライマリＣＣ（又はアンカーＣＣ）と呼び、残りのＣＣをセカンダリＣＣと呼ぶことができる。
【００７６】
クロス−キャリアスケジューリング（又は、クロス−ＣＣスケジューリング）が適用される場合、下りリンク割り当てのためのＰＤＣＣＨはＤＬ  ＣＣ＃０で送信され、該当のＰＤＳＣＨはＤＬ  ＣＣ＃２で送信されてもよい。クロス−ＣＣスケジューリングのために、キャリア指示フィールド（ｃａｒｒｉｅｒ  ｉｎｄｉｃａｔｏｒ  ｆｉｅｌｄ；ＣＩＦ）の導入を考慮することができる。ＰＤＣＣＨ内でＣＩＦが存在するか否かは、上位層シグナリング（例、ＲＲＣシグナリング）によって半−静的及び端末−特定（又は端末グループ−特定）方式で設定されてもよい。ＰＤＣＣＨ送信のベースラインを要約すると、次のとおりである。
■ＣＩＦディセーブルド（ｄｉｓａｂｌｅｄ）：ＤＬ  ＣＣ上のＰＤＣＣＨは、同じＤＬ  ＣＣ上のＰＤＳＣＨリソースを割り当てたり、一つのリンクされたＵＬ  ＣＣ上のＰＵＳＣＨリソースを割り当てる
●  Ｎｏ  ＣＩＦ
●  ＬＴＥ  ＰＤＣＣＨ構造（同じ符号化、同じＣＣＥベースのリソースマッピング）及びＤＣＩフォーマットと同一である
■  ＣＩＦイネーブルド（ｅｎａｂｌｅｄ）：ＤＬ  ＣＣ上のＰＤＣＣＨはＣＩＦを用いて、複数の併合されたＤＬ／ＵＬ  ＣＣのうち特定のＤＬ／ＵＬ  ＣＣ上のＰＤＳＣＨ又はＰＵＳＣＨリソースを割り当てることができる
●  ＣＩＦを有する拡張されたＬＴＥ  ＤＣＩフォーマット
−  ＣＩＦ（設定される場合）は、固定されたｘ−ビットフィールド（例、ｘ＝３）
−  ＣＩＦ（設定される場合）位置は、ＤＣＩフォーマットサイズに関係なく固定される
●  ＬＴＥ  ＰＤＣＣＨ構造を再使用（同じ符号化、同じＣＣＥベースのリソースマッピング）
【００７７】
ＣＩＦが存在する場合、基地局は、端末側のＢＤ複雑度を下げるために、ＰＤＣＣＨモニタリングＤＬ  ＣＣセットを割り当てることができる。ＰＤＣＣＨモニタリングＤＬ  ＣＣセットは、併合された全ＤＬ  ＣＣの一部であって、一つ以上のＤＬ  ＣＣを含み、端末は、該当のＤＬ  ＣＣ上でＰＤＣＣＨの検出／復号化を行う。すなわち、基地局が端末にＰＤＳＣＨ／ＰＵＳＣＨをスケジュールする場合、ＰＤＣＣＨは、ＰＤＣＣＨモニタリングＤＬ  ＣＣセットでのみ送信される。ＰＤＣＣＨモニタリングＤＬ  ＣＣセットは、端末−特定（ＵＥ−ｓｐｅｃｉｆｉｃ）、端末−グループ−特定、又はセル−特定（ｃｅｌｌ−ｓｐｅｃｉｆｉｃ）の方式で設定されてもよい。用語“ＰＤＣＣＨモニタリングＤＬ  ＣＣ”は、モニタリングキャリア、モニタリングセルなどの等価の用語に代えてもよい。また、端末のために併合されたＣＣは、サービングＣＣ、サービングキャリア、サービングセルなどの等価の用語に代えてもよい。
【００７８】
図９には、複数のキャリアが併合された場合のスケジューリングを例示する。３個のＤＬ  ＣＣが併合されたと仮定する。ＤＬ  ＣＣ  ＡがＰＤＣＣＨモニタリングＤＬ  ＣＣとして設定されたと仮定する。ＤＬ  ＣＣ  Ａ〜Ｃを、サービングＣＣ、サービングキャリア、サービングセルなどと呼ぶことができる。ＣＩＦがディセーブルされた場合、各ＤＬ  ＣＣは、ＬＴＥ  ＰＤＣＣＨ設定によって、ＣＩＦ無しで、自身のＰＤＳＣＨをスケジュールするＰＤＣＣＨだけを送信することができる。一方、端末−特定（又は端末−グループ−特定又はセル−特定）上位層シグナリングによってＣＩＦがイネーブルされた場合、ＤＬ  ＣＣ  Ａ（モニタリングＤＬ  ＣＣ）は、ＣＩＦを用いて、ＤＬ  ＣＣ  ＡのＰＤＳＣＨをスケジュールするＰＤＣＣＨの他、別のＣＣのＰＤＳＣＨをスケジュールするＰＤＣＣＨも送信することができる。この場合、ＰＤＣＣＨモニタリングＤＬ  ＣＣとして設定されていないＤＬ  ＣＣ  Ｂ／Ｃでは、ＰＤＣＣＨが送信されない。したがって、ＤＬ  ＣＣ  Ａ（モニタリングＤＬ  ＣＣ）は、ＤＬ  ＣＣ  Ａと関連付いたＰＤＣＣＨ検索領域、ＤＬ  ＣＣ  Ｂと関連付いたＰＤＣＣＨ検索領域、及びＤＬ  ＣＣ  Ｃと関連付いたＰＤＣＣＨ検索領域を全て含まなければならない。本明細書で、ＰＤＣＣＨ検索領域はキャリア別に定義されると仮定する。
【００７９】
上述したように、ＬＴＥ−Ａは、クロス−ＣＣスケジューリングのためにＰＤＣＣＨ内でＣＩＦの使用を考慮している。ＣＩＦを使用するか否か（すなわち、クロス−ＣＣスケジューリングモード又はノン−クロス−ＣＣスケジューリングモードのサポート）及びモード間切換は、ＲＲＣシグナリングで半−静的／端末−特定に設定することができ、当該ＲＲＣシグナリング過程を経た後、端末は、自身にスケジュールされるＰＤＣＣＨ内にＣＩＦが用いられるか否かを認識することができる。
【００８０】
以下ではＤ２Ｄ（ＵＥ−ｔｏ−ＵＥ  Ｃｏｍｍｕｎｉｃａｔｉｏｎ）通信について説明する。
【００８１】
Ｄ２Ｄ通信方式は、ネットワーク／コーディネーションステーション（例えば、基地局）のアシストを受ける方式と、そうでない場合とに大別される。
【００８２】
図１０を参照すると、図１０（ａ）には、制御信号（例えば、グラントメッセージ（ｇｒａｎｔ  ｍｅｓｓａｇｅ））、ＨＡＲＱ、チャネル状態情報（Ｃｈａｎｎｅｌ  Ｓｔａｔｅ  Ｉｎｆｏｒｍａｔｉｏｎ）などの送受信にはネットワーク／コーディネーションステーションが介入し、Ｄ２Ｄ通信を行う端末間にはデータ送受信だけを行う方式が示されている。また、図１０（ｂ）には、ネットワークは最小限の情報（例えば、該当のセルで使用可能なＤ２Ｄ接続（ｃｏｎｎｅｃｔｉｏｎ）情報など）だけを提供するが、Ｄ２Ｄ通信を行う端末がリンクを形成してデータ送受信を行う方式が示されている。
【００８３】
図１１は、Ｄ２Ｄ通信を行う端末の受信端の受信回路／モジュールを説明するための参考図である。
【００８４】
第一のタイプは半−二重のＤ２Ｄ受信端（Ｈａｌｆ−Ｄｕｐｌｅｘ  Ｄ２Ｄ  Ｒｅｃｅｉｖｅｒ）であり、Ｄ２Ｄ通信の受信プロセシング（ＲＸ  Ｐｒｏｃｅｓｓｉｎｇ）を、基地局と端末間の下りリンク通信に用いられる（修正された）受信回路／モジュールを再利用して行う。例えば、図１１（ａ）のように、半−二重のＤ２Ｄ受信端が適用された場合、ＦＤＤシステムで上りリンク帯域（ＵＬ  Ｂａｎｄ）上の一部のサブフレームがＤ２Ｄ通信用途（例えば、Ｄ２Ｄ  Ｄｉｓｃｏｖｅｒｙ  Ｓｉｇｎａｌ送信／受信用途、Ｄ２Ｄデータ送信／受信用途）に設定され、Ｄ２Ｄ端末が当該サブフレームで実際にＤ２Ｄ信号受信動作（例えば、Ｄ２Ｄデータ受信動作、Ｄ２Ｄ  Ｄｉｓｃｏｖｅｒｙ  Ｓｉｇｎａｌ受信動作）を行わなければならない場合、当該Ｄ２Ｄ端末は少なくとも一部（例えば、一部（Ｐａｒｔｉａｌ）或いは全て（Ｆｕｌｌｙ））重なる時点の下りリンク帯域（ＤＬ  Ｂａｎｄ）上のサブフレームで基地局からの下りリンクシグナル（例えば、ＰＤＣＣＨ、ＰＤＳＣＨ）を受信することができない。
【００８５】
第二のタイプは、全−二重のＤ２Ｄ受信端（Ｆｕｌｌ−Ｄｕｐｌｅｘ  Ｄ２Ｄ  Ｒｅｃｅｉｖｅｒ）であり、Ｄ２Ｄ通信の受信プロセシングを、基地局と端末間の下りリンク通信に用いられる（一般的な）受信回路／モジュールではなく独立して具現された（例えば、分離された）上りリンク帯域での受信回路／モジュールベースで行う。図１１（ｂ）を参照して全−二重のＤ２Ｄ受信端が適用された場合の例を説明すると、ＦＤＤシステムで上りリンク帯域（ＵＬ  Ｂａｎｄ）上の一部のサブフレームがＤ２Ｄ通信用途に設定され、Ｄ２Ｄ端末が当該サブフレームで実際にＤ２Ｄ信号受信動作（例えば、Ｄ２Ｄデータ受信動作、Ｄ２Ｄ  Ｄｉｓｃｏｖｅｒｙ  Ｓｉｇｎａｌ受信動作）を行わなければならない場合、半−二重のＤ２Ｄ受信端の場合とは違い、当該Ｄ２Ｄ端末は少なくとも一部（例えば、一部（Ｐａｒｔｉａｌ）或いは全て（Ｆｕｌｌｙ））重なる時点の下りリンク帯域（ＤＬ  Ｂａｎｄ）上のサブフレームでも基地局からの下りリンクシグナル（例えば、ＰＤＣＣＨ、ＰＤＳＣＨ）を受信することができる。
【００８６】
前述した内容に基づいて本発明では、搬送波集成技法（Ｃａｒｒｉｅｒ  Ａｇｇｒｅｇａｔｉｏｎ；ＣＡ）が適用された状況下で、搬送波集成による特定セル（Ｃｅｌｌ）（或いは、Ｃｏｍｐｏｎｅｎｔ  Ｃａｒｒｉｅｒ；ＣＣ）上の事前に定義されたリソースでＤ２Ｄ（Ｄｅｖｉｃｅ−ｔｏ−Ｄｅｖｉｃｅ）通信が行われる場合に、Ｄ２Ｄ  ＵＥのＤ２Ｄ通信を効率的に支援する方法を説明する。ここで、Ｄ２Ｄ通信は、ＵＥが他のＵＥと無線チャネルを用いて直接通信することを意味し、ＵＥはユーザの端末を意味するが、ｅＮＢのようなネットワーク装備がＵＥ間の通信方式にしたがって信号を送／受信する場合には、ネットワーク装備も一種のＵＥと見なすことができる。
【００８７】
以下では、説明の便宜のために、３ＧＰＰ  ＬＴＥシステムに基づいて本発明を説明する。しかし、本発明が適用されるシステムの範囲は、３ＧＰＰ  ＬＴＥシステム以外のシステムにも拡張可能である。
【００８８】
なお、本発明の実施例は、ｉ）Ｄ２Ｄ通信に参加する一部のＤ２Ｄ  ＵＥはネットワークのカバレッジ内に存在し、残りのＤ２Ｄ  ＵＥはネットワークのカバレッジ外に存在する場合（Ｄ２Ｄ  Ｄｉｓｃｏｖｅｒｙ／Ｃｏｍｍｕｎｉｃａｔｉｏｎ  ｏｆ  Ｐａｒｔｉａｌ  Ｎｅｔｗｏｒｋ  Ｃｏｖｅｒａｇｅ）、或いはｉｉ）Ｄ２Ｄ通信に参加するＤ２Ｄ  ＵＥがいずれもネットワークのカバレッジ内に存在する場合（Ｄ２Ｄ  Ｄｉｓｃｏｖｅｒｙ／Ｃｏｍｍｕｎｉｃａｔｉｏｎ  Ｗｉｔｈｉｎ  Ｎｅｔｗｏｒｋ  Ｃｏｖｅｒａｇｅ）、或いはｉｉｉ）Ｄ２Ｄ通信に参加するＤ２Ｄ  ＵＥがいずれもネットワークのカバレッジ外に存在する場合（Ｄ２Ｄ  Ｄｉｓｃｏｖｅｒｙ／Ｃｏｍｍｕｎｉｃａｔｉｏｎ  Ｏｕｔｓｉｄｅ  Ｎｅｔｗｏｒｋ  Ｃｏｖｅｒａｇｅ（ｆｏｒ  Ｐｕｂｌｉｃ  Ｓａｆｅｔｙ  Ｏｎｌｙ））のうち少なくとも一つに対しても拡張適用可能である。
【００８９】
また、本発明に関する実施例として、搬送波集成（ＣＡ）関連特定セル（Ｃｅｌｌ）（或いは、コンポーネントキャリア（ＣＣ））上の事前に定義されたリソースでＤ２Ｄ通信が行われる場合に、Ｄ２Ｄ  ＵＥは、以下に本発明で開示される第１方案乃至第４方案の少なくとも一つ（すなわち、一部或いは全て）に基づいてＤ２Ｄ通信を行うように定義されてもよい。ここで、本発明の実施例に関する説明の便宜のために、Ｄ２Ｄ通信が、ＵＥが送信を行う（特定セル（ｃｅｌｌ）上の）上りリンクリソースで行われる状況を仮定した。また、説明の便宜のために、Ｄ２Ｄ  ＵＥに２つのセル（Ｃｅｌｌ）（例えば、ＰＣｅｌｌ（Ｐｒｉｍａｒｙ  Ｃｅｌｌ）、ＳＣｅｌｌ（Ｓｅｃｏｎｄａｒｙ  Ｃｅｌｌ））が搬送波集成技法によって設定された状況を仮定した。しかし、本発明の実施例は、Ｄ２Ｄ通信が（特定セル（ｃｅｌｌ）上の）上りリンクリソース以外のリソースで行われる場合、及び／又はＤ２Ｄ  ＵＥに３つ以上のセル（Ｃｅｌｌ）が搬送波集成技法によって設定された場合においても拡張適用が可能である。
【００９０】
また、以下、本発明の実施例は、特定セル（Ｃｅｌｌ）に対して一つの受信回路（Ｒｘ  Ｃｈａｉｎ或いはＲｘ  Ｃｉｒｃｕｉｔ）だけを有するＤ２Ｄ  ＵＥが、当該受信回路を特定セル（Ｃｅｌｌ）関連ＷＡＮ（Ｗｉｄｅ  Ａｒｅａ  Ｎｅｔｗｏｒｋ）シグナル／データ受信動作（すなわち、ＷＡＮ通信受信動作）とＤ２Ｄシグナル／データ受信動作（すなわち、Ｄ２Ｄ通信受信動作）に利用／共有（Ｓｈａｒｉｎｇ）する場合に限って適用されるように設定されてもよい。言い換えると、Ｄ２Ｄ  ＵＥは一つの受信回路だけを用いて特定セル（Ｃｅｌｌ）関連ＷＡＮ通信受信動作（すなわち、帯域＃Ａ）とＤ２Ｄ通信受信動作（すなわち、帯域＃Ｂ）を行わなければならず、特定時点で当該特定セル（Ｃｅｌｌ）関連ＷＡＮ通信受信動作又はＤ２Ｄ通信受信動作のいずれか一方しか行うことができない。具体的に、このようなＤ２Ｄ  ＵＥは、ＦＤＤセル（すなわち、当該ＦＤＤセルはＤＬ  ＣＣ及びＵＬ  ＣＣで構成される。）の特定時点（ＳＦ＃Ｎ）で、ＤＬ  ＣＣ（すなわち、帯域＃Ａ）上のＷＡＮシグナル／データ受信動作とＵＬ  ＣＣ（すなわち、帯域＃Ｂ）上のＤ２Ｄシグナル／データ受信動作を同時に行うことができず、これらのいずれか一方だけを行うことができる。ここで、ＦＤＤセルのＷＡＮ通信受信動作関連ＤＬ  ＣＣとＤ２Ｄ通信受信動作関連ＵＬ  ＣＣは、異なった位置の周波数帯域と仮定した。
【００９１】
また、以下、本発明の実施例における特定規則は、一つのバンド（例えば、帯域或いはセル（Ｃｅｌｌ））の受信回路（Ｒｘ  Ｃｈａｉｎ或いはＲｘ  Ｃｉｒｃｕｉｔ）を臨時的に（Ｔｅｍｐｏｒａｌｌｙ）他のバンド（例えば、帯域或いはセル（Ｃｅｌｌ））のＤ２Ｄ通信受信動作に切り替えて用いるものと解釈／適用することができる。例えば、本発明の第１方案における規則１−Ｂ、或いは第２方案における規則２−Ｂを、特定バンドの受信回路（Ｒｘ  Ｃｈａｉｎ或いはＲｘ  Ｃｉｒｃｕｉｔ）を臨時的に他のバンドのＤ２Ｄ通信受信動作に切り替えて利用する時に適用することができる。
【００９２】
第１方案
【００９３】
ＦＤＤ  ＰＣｅｌｌ（ここで、ＦＤＤ  ＰＣｅｌｌはＤＬ  ＣＣ及びＵＬ  ＣＣで構成される）とＴＤＤ  ＳＣｅｌｌが搬送波集成（ＣＡ）技法によって設定され、ＦＤＤ  ＰＣｅｌｌのＵＬ  ＣＣ上の事前に定義されたリソースでＤ２Ｄ通信が行われる場合に適用可能な第１方案について説明する。
【００９４】
ＣＡＳＥ  ＃１−Ａ：ｉ）特定サブフレーム時点（すなわち、ＳＦ＃Ｎ）で、ＦＤＤ  ＰＣｅｌｌのＵＬ  ＣＣ上におけるＤ２Ｄ通信受信動作、ＦＤＤ  ＰＣｅｌｌのＤＬ  ＣＣ上におけるＷＡＮ通信受信動作、そしてＴＤＤ  ＳＣｅｌｌのＷＡＮ通信受信動作が重なる場合、或いはｉｉ）特定サブフレーム時点（すなわち、ＳＦ＃Ｎ）で、ＦＤＤ  ＰＣｅｌｌのＵＬ  ＣＣ上では当該時点のサブフレームがＤ２Ｄ通信（受信）用途に設定されており、ＦＤＤ  ＰＣｅｌｌのＤＬ  ＣＣ上では当該時点のサブフレームがＷＡＮ通信関連下りリンクサブフレームに設定されており、そしてＴＤＤ  ＳＣｅｌｌ上では当該時点のサブフレームがＷＡＮ通信関連下りリンクサブフレームに設定されている場合を仮定する。
【００９５】
このような場合、Ｄ２Ｄ  ＵＥは、事前に定義された規則或いは基地局からの関連シグナル受信によって、ＦＤＤ  ＰＣｅｌｌ関連一つの受信回路を、ｉ）ＦＤＤ  ＰＣｅｌｌのＤＬ  ＣＣ上におけるＷＡＮ通信受信動作（すなわち、ＦＤＤ  ＰＣｅｌｌのＵＬ  ＣＣ上におけるＤ２Ｄ通信受信動作を行わない。）のために、或いはｉｉ）ＦＤＤ  ＰＣｅｌｌのＵＬ  ＣＣ上におけるＤ２Ｄ通信受信動作のために使用し、ＴＤＤ  ＳＣｅｌｌ関連一つの受信回路をＴＤＤ  ＳＣｅｌｌ上におけるＷＡＮ通信受信動作のために使用することができる（規則１−Ａ）。
【００９６】
ＣＡＳＥ  ＃１−Ｂ：特定サブフレーム時点（すなわち、ＳＦ＃Ｎ）で、ｉ）ＦＤＤ  ＰＣｅｌｌのＵＬ  ＣＣ上におけるＤ２Ｄ通信受信動作、ＦＤＤ  ＰＣｅｌｌのＤＬ  ＣＣ上におけるＷＡＮ通信受信動作、そしてＴＤＤ  ＳＣｅｌｌのＷＡＮ通信送信動作（すなわち、ＷＡＮシグナル／データ送信動作）が重なる場合、或いはｉｉ）特定サブフレーム時点（すなわち、ＳＦ＃Ｎ）で、ＦＤＤ  ＰＣｅｌｌのＵＬ  ＣＣ上では当該時点のサブフレームがＤ２Ｄ通信（受信）用途に設定されており、ＦＤＤ  ＰＣｅｌｌのＤＬ  ＣＣ上では当該時点のサブフレームがＷＡＮ通信関連下りリンクサブフレームに設定されており、そしてＴＤＤ  ＳＣｅｌｌ上では当該時点のサブフレームがＷＡＮ通信関連上りリンクサブフレームに設定されている場合を仮定する。
【００９７】
このような場合に、Ｄ２Ｄ  ＵＥは、事前に定義された規則或いは基地局からの関連シグナル受信によって、ＦＤＤ  ＰＣｅｌｌ関連一つの受信回路をＦＤＤ  ＰＣｅｌｌのＤＬ  ＣＣ上におけるＷＡＮ通信受信動作のために使用し、ＴＤＤ  ＳＣｅｌｌ関連一つの受信回路をＦＤＤ  ＰＣｅｌｌのＵＬ  ＣＣ上におけるＤ２Ｄ通信受信動作のために（再）使用（或いは、借りて（Ｂｏｒｒｏｗ）使用）することができる。又は、Ｄ２Ｄ  ＵＥは、事前に定義された規則或いは基地局からの関連シグナル受信によって、ＦＤＤ  ＰＣｅｌｌ関連一つの受信回路をＦＤＤ  ＰＣｅｌｌのＵＬ  ＣＣ上におけるＤ２Ｄ通信受信動作のために使用し、ＴＤＤ  ＳＣｅｌｌ関連一つの受信回路をＦＤＤ  ＰＣｅｌｌのＤＬ  ＣＣ上におけるＷＡＮ通信受信動作のために（再）使用（或いは、借りて（Ｂｏｒｒｏｗ）使用）することができる（規則１−Ｂ）。
【００９８】
第２方案
【００９９】
ＴＤＤ  ＰＣｅｌｌとＦＤＤ  ＳＣｅｌｌ（ここで、ＦＤＤ  ＳＣｅｌｌはＤＬ  ＣＣ及びＵＬ  ＣＣで構成される。）が搬送波集成（ＣＡ）技法によって設定され、ＦＤＤ  ＳＣｅｌｌのＵＬ  ＣＣ上の事前に定義されたリソースでＤ２Ｄ通信が行われる場合に適用される第２方案について説明する。
【０１００】
ＣＡＳＥ  ＃２−Ａ：ｉ）特定サブフレーム時点（すなわち、ＳＦ＃Ｎ）で、ＦＤＤ  ＳＣｅｌｌのＵＬ  ＣＣ上におけるＤ２Ｄ通信受信動作、ＦＤＤ  ＳＣｅｌｌのＤＬ  ＣＣ上におけるＷＡＮ通信受信動作、そしてＴＤＤ  ＰＣｅｌｌのＷＡＮ通信受信動作が重なる場合、或いはｉｉ）特定サブフレーム時点（すなわち、ＳＦ＃Ｎ）で、ＦＤＤ  ＳＣｅｌｌのＵＬ  ＣＣ上では当該時点のサブフレームがＤ２Ｄ通信（受信）用途に設定されており、ＦＤＤ  ＳＣｅｌｌのＤＬ  ＣＣ上では当該時点のサブフレームがＷＡＮ通信関連下りリンクサブフレームに設定されており、そしてＴＤＤ  ＰＣｅｌｌ上では当該時点のサブフレームがＷＡＮ通信関連下りリンクサブフレームに設定されている場合を仮定する。
【０１０１】
このような場合、Ｄ２Ｄ  ＵＥは、事前に定義された規則或いは基地局からの関連シグナル受信によって、ｉ）ＦＤＤ  ＳＣｅｌｌ関連一つの受信回路をＦＤＤ  ＳＣｅｌｌのＤＬ  ＣＣ上におけるＷＡＮ通信受信動作（すなわち、ＦＤＤ  ＳＣｅｌｌのＵＬ  ＣＣ上におけるＤ２Ｄ通信受信動作を行わない。）、或いはｉｉ）ＦＤＤ  ＳＣｅｌｌのＵＬ  ＣＣ上におけるＤ２Ｄ通信受信動作のために使用し、ＴＤＤ  ＰＣｅｌｌ関連一つの受信回路をＴＤＤ  ＰＣｅｌｌ上におけるＷＡＮ通信受信動作のために使用することができる（規則２−Ａ）。
【０１０２】
ＣＡＳＥ  ＃２−Ｂ：ｉ）特定サブフレーム時点（すなわち、ＳＦ＃Ｎ）で、ＦＤＤ  ＳＣｅｌｌのＵＬ  ＣＣ上におけるＤ２Ｄ通信受信動作、ＦＤＤ  ＳＣｅｌｌのＤＬ  ＣＣ上におけるＷＡＮ通信受信動作、そしてＴＤＤ  ＰＣｅｌｌのＷＡＮ通信送信動作（すなわち、ＷＡＮシグナル／データ送信動作）が重なる場合、或いはｉｉ）特定サブフレーム時点（すなわち、ＳＦ＃Ｎ）で、ＦＤＤ  ＳＣｅｌｌのＵＬ  ＣＣ上では当該時点のサブフレームがＤ２Ｄ通信（受信）用途に設定されており、ＦＤＤ  ＳＣｅｌｌのＤＬ  ＣＣ上では当該時点のサブフレームがＷＡＮ通信関連下りリンクサブフレームに設定されており、そしてＴＤＤ  ＰＣｅｌｌ上では当該時点のサブフレームがＷＡＮ通信関連上りリンクサブフレームに設定されている場合を仮定する。
【０１０３】
このとき、Ｄ２Ｄ  ＵＥは、事前に定義された規則或いは基地局からの関連シグナル受信によって、ＦＤＤ  ＳＣｅｌｌ関連一つの受信回路をＦＤＤ  ＳＣｅｌｌのＤＬ  ＣＣ上におけるＷＡＮ通信受信動作のために使用し、ＴＤＤ  ＰＣｅｌｌ関連一つの受信回路をＦＤＤ  ＳＣｅｌｌのＵＬ  ＣＣ上におけるＤ２Ｄ通信受信動作のために（再）使用（或いは、借りて（Ｂｏｒｒｏｗ）使用）することができる。又は、Ｄ２Ｄ  ＵＥは、事前に定義された規則或いは基地局からの関連シグナル受信によって、ＦＤＤ  ＳＣｅｌｌ関連一つの受信回路をＦＤＤ  ＳＣｅｌｌのＵＬ  ＣＣ上におけるＤ２Ｄ通信受信動作のために使用し、ＴＤＤ  ＰＣｅｌｌ関連一つの受信回路をＦＤＤ  ＳＣｅｌｌのＤＬ  ＣＣ上におけるＷＡＮ通信受信動作のために（再）使用（或いは、借りて（Ｂｏｒｒｏｗ）使用）することができる（規則２−Ｂ）。
【０１０４】
第３方案
【０１０５】
上述した第１方案乃至第２方案において、特定セル（ｃｅｌｌ）関連一つの受信回路を他のセル（ｃｅｌｌ）関連Ｄ２Ｄ通信受信動作／ＷＡＮ通信受信動作に（再）使用（或いは、借りて使用）すること（例えば、規則１−Ｂ或いは規則２−Ｂ）は、当該特定セル（ｃｅｌｌ）関連一つの受信回路が他のセル（ｃｅｌｌ）関連帯域（或いはバンド）上における受信動作を支援するか否かによって、実際に適用されるか否かが決定される。
【０１０６】
したがって、Ｄ２Ｄ  ＵＥは基地局（或いは、Ｓｅｒｖｉｎｇ  Ｃｅｌｌ）に事前に定義されたシグナル（例えば、物理層シグナル或いは上位層シグナル）を通じて、ｉ）特定セル（ｃｅｌｌ）関連一つの受信回路がいかなる帯域／バンド上の受信動作を支援するかに関する情報、或いはｉｉ）特定セル（ｃｅｌｌ）関連一つの受信回路が、搬送波集成技法によって設定された複数個のセル（ｃｅｌｌ）のうちのいずれのセル（ｃｅｌｌ）上の受信動作を支援するかに関する情報を報告するように設定することができる。ここで、このような情報報告動作は、一種の“Ｃａｐａｂｉｌｉｔｙ  Ｓｉｇｎａｌｉｎｇ（例えば、あるバンドの受信回路を臨時的に他のバンドのＤ２Ｄ通信受信動作に切り替えて利用できるか否か）”と解釈することができる。
【０１０７】
あるバンドの受信回路を臨時的に他のバンドのＤ２Ｄ受信動作に切り替えて利用できる場合には、当該受信回路の切替使用が可能なバンドの目録を情報報告に含めることができる。例えば、ＵＥは、特定のバンドの組み合わせにおいてＷＡＮ  ＤＬ受信をするように設定（Ｃｏｎｆｉｇｕｒａｔｉｏｎ）される場合には、残っている受信回路をいずれのバンドにおけるＤ２Ｄ受信のために用途切替可能かを知らせることができる。
【０１０８】
具体的に、ＵＥは、バンドＡとバンドＢでＷＡＮ  ＤＬ受信が設定（Ｃｏｎｆｉｇｕｒａｔｉｏｎ）された場合には、自身が保有している受信回路を、バンドＡ、バンドＣ或いはバンドＤにおけるＤ２Ｄ受信のために動作切替可能であるという事実を知らせることができる。このような報告は、当該ＵＥは常にバンドＡとバンドＢにおけるＷＡＮ  ＤＬ受信が可能であり、同時に当該ＵＥはバンドＡ、バンドＣ或いはバンドＤのいずれか一バンドでＤ２Ｄ受信が可能であると解釈され、ただし、バンドＡ、バンドＣ或いはバンドＤのいずれか２つ以上のバンドで同一時点にＤ２Ｄ受信が可能であることを意味するわけではない。
【０１０９】
又は、２つ以上のバンドで同一時点にＤ２Ｄ受信が可能であることを知らせるために、上記報告に、Ｄ２Ｄ受信のために用途切替が可能なバンドの組み合わせを知らせることもできる。具体例として、ＵＥは、バンドＡとバンドＢでＷＡＮ  ＤＬ受信が設定（Ｃｏｎｆｉｇｕｒａｔｉｏｎ）された場合には、自身が保有している受信回路をバンド組み合わせ｛Ａ，Ｃ｝、｛Ａ，Ｄ｝でＤ２Ｄ受信動作に切り替えることが可能であることを知らせることができる。このような報告は、当該ＵＥは常にバンドＡとバンドＢにおけるＷＡＮ  ＤＬ受信が可能であり、同時に該当ＵＥはバンドＡとＣにおけるＤ２Ｄ信号を同時に受信するように動作したり、バンドＡとＤにおけるＤ２Ｄ信号を同時に受信するように動作できるということを意味する。
【０１１０】
なお、特定バンド（例えば、前述の例でバンドＡ）はＷＡＮ  ＤＬ受信の組み合わせに含まれると同時に、その時にＤ２Ｄ受信が可能なバンドにも含まれてもよい。この場合、当該バンドがＴＤＤを動作すると、これは当該バンドのＴＤＤセルが上りリンクサブフレーム（ＵＬ  Ｓｕｂｆｒａｍｅ）を設定した場合に限って当該バンドでＤ２Ｄ受信が可能であることを意味することができる。また、一例として、上述した情報報告の対象となる受信回路は、特定システム（例えば、ＴＤＤ或いはＦＤＤシステム）関連セル（ｃｅｌｌ）の受信回路に限定されてもよい。
【０１１１】
なお、本発明に関する他の実施例として、ＣＡ関連特定セル（ｃｅｌｌ）（或いはＣＣ）上でＤ２Ｄ通信用途として指定可能な候補リソースは第４方案乃至第５方案で説明するリソースに限定されるように設定することができる。
【０１１２】
第４方案
【０１１３】
無線リソース用途の動的変更モードが設定されたＴＤＤセル（ｅＩＭＴＡ（ｅｎｈａｎｃｅｄ  ｉｎｔｅｒｆｅｒｅｎｃｅ  ｍａｎａｇｅｍｅｎｔ  ｆｏｒ  ｔｒａｆｆｉｃ  ａｄａｐｔｉｏｎ）−ｅｎａｂｌｅｄ  ＴＤＤ  ｃｅｌｌ）では、当該ｅＩＭＴＡ−ｅｎａｂｌｅｄ  ＴＤＤセル（ｃｅｌｌ）関連（ＲＲＣ−ｓｉｇｎａｌｅｄ）下りリンクＨＡＲＱ参照設定（ＤＬ  ＨＡＲＱ  Ｒｅｆｅｒｅｎｃｅ  Ｃｏｎｆｉｇｕｒａｔｉｏｎ）上の上りリンクサブフレーム（すなわち、固定された用途（或いは、半静的な用途）に用いられる上りリンクサブフレーム）だけを、Ｄ２Ｄ通信用途として指定可能な候補リソースと定義することができる。
【０１１４】
第５方案
【０１１５】
一般に、異なった上りリンク−下りリンク設定（ＵＬ−ＤＬ  Ｃｏｎｆｉｇｕｒａｔｉｏｎ）を有するセル（ｃｅｌｌ）（例えば、ＴＤＤ  ＰＣｅｌｌ、ＴＤＤ  ＳＣｅｌｌ）が搬送波集成技法によって設定され、ＵＥがこれらのセル（ｃｅｌｌ）上で同時送／受信動作を行うことができない場合、当該ＵＥは表３の制限によって上りリンク／下りリンクシグナルの送／受信動作を行うように定義されている（３ＧＰＰ  ＴＳ  ３６．２１１  Ｓｅｃｔｉｏｎ  ４．２  “Ｆｒａｍｅ  ｓｔｒｕｃｔｕｒｅ  ｔｙｐｅ  ２”参照）
【０１１６】
【表３】
0006421234.tif 000011
【０１１７】
したがって、表３によって、同時送／受信動作を行うことのできないＵＥ（例えば、Ｈａｌｆ  Ｄｕｐｌｅｘ  ＵＥ）には、ＰＣｅｌｌとＳＣｅｌｌの両方で上りリンクサブフレームとして利用する時点のサブフレームである場合によるＳＣｅｌｌ上の上りリンクサブフレームだけを、（ＳＣｅｌｌ上で）Ｄ２Ｄ通信用途として指定可能な候補リソースと定義することができる。
【０１１８】
さらに、同時送／受信動作を行うことのできないＵＥ（例えば、ＨＤ  ＵＥ）は、ＰＣｅｌｌが下りリンクサブフレームとして利用し、ＳＣｅｌｌが上りリンクサブフレームとして利用する時点のＳＣｅｌｌ上の上りリンクサブフレームがＤ２Ｄ通信用途のサブフレームとして指定される場合、当該時点のＳＣｅｌｌ上の上りリンクサブフレームをＤ２Ｄ通信受信動作（すなわち、Ｄ２Ｄシグナル／データ受信動作）のみが許容されるサブフレームと見なすように設定されてもよい。
【０１１９】
なお、上述した本発明の実施例も本発明の具現方法の一つとして含まれてもよく、よって、一種の提案方式として見なしてもよいことは明らかである。また、上述した提案方式は独立して具現されてもよいが、一部の提案方式の組み合わせ（或いは併合）の形態で具現されてもよい。
【０１２０】
また、本発明の実施例は、Ｄ２Ｄ通信（及び／又はＤ２Ｄ探索（Ｄ２Ｄ  ＤＩＳＣＯＶＥＲＹ））に限って適用されるように設定されてもよい。
【０１２１】
また、本発明の実施例は、特定モード（例えば、ＭＯＤＥ１、ＭＯＤＥ２）のＤ２Ｄ通信（及び／又は特定タイプ（例えば、ＴＹＰＥ１、ＴＹＰＥ２Ｂ）のＤ２Ｄ探索）に限って適用されるように設定されてもよい。
【０１２２】
また、本発明の実施例は、ｉ）ＩＮ−ＣＯＶＥＲＡＧＥ  Ｄ２Ｄ  ＵＥ、或いはｉｉ）ＰＡＲＴＩＡＬ  ＣＯＶＥＲＡＧＥ  Ｄ２Ｄ  ＵＥ、或いはｉｉｉ）ＯＵＴ−ＣＯＶＥＲＡＧＥ  Ｄ２Ｄ  ＵＥ、或いはｉｖ）ＩＮ−ＣＯＶＥＲＡＧＥ  ＳＣＥＮＡＲＩＯ、或いはｖ）ＰＡＲＴＩＡＬ  ＣＯＶＥＲＡＧＥ  ＳＣＥＮＡＲＩＯ、或いはｖｉ）ＯＵＴ−ＣＯＶＥＲＡＧＥ  ＳＣＥＮＡＲＩＯのうち少なくとも一つの場合に限って適用されるように設定されてもよい。
【０１２３】
また、本発明の実施例は、ＲＲＣ＿ＣＯＮＮＥＣＴＥＤ  Ｄ２Ｄ  ＵＥ或いはＲＲＣ＿ＩＤＬＥ  Ｄ２Ｄ  ＵＥの場合に限って適用されるように設定されてもよい。
【０１２４】
図１２には、本発明の一実施例に適用可能な基地局及び端末を例示する。
【０１２５】
無線通信システムにリレーが含まれる場合、バックホールリンクでは通信が基地局とリレー間に行われ、アクセスリンクでは通信がリレーと端末間に行われる。したがって、図面に例示された基地局又は端末は状況によってリレーに代替されてもよい。
【０１２６】
図１２を参照すると、無線通信システムは、基地局（ＢＳ）１１０及び端末（ＵＥ）１２０を含む。基地局１１０は、プロセッサ１１２、メモリ１１４及び無線周波数（Ｒａｄｉｏ  Ｆｒｅｑｕｅｎｃｙ；ＲＦ）ユニット１１６を備える。プロセッサ１１２は、本発明で提案した手順及び／又は方法を具現するように構成されてもよい。メモリ１１４は、プロセッサ１１２と接続され、プロセッサ１１２の動作と関連した様々な情報を記憶する。ＲＦユニット１１６は、プロセッサ１１２と接続され、無線信号を送信及び／又は受信する。端末１２０は、プロセッサ１２２、メモリ１２４及びＲＦユニット１２６を備える。プロセッサ１２２は、本発明で提案した手順及び／又は方法を具現するように構成されてもよい。メモリ１２４は、プロセッサ１２２と接続され、プロセッサ１２２の動作と関連した様々な情報を記憶する。ＲＦユニット１２６は、プロセッサ１２２と接続され、無線信号を送信及び／又は受信する。基地局１１０及び／又は端末１２０は、単一アンテナ又は多重アンテナを有することができる。
【０１２７】
以上に説明した実施例は、本発明の構成要素と特徴を所定の形態で結合したものである。各構成要素又は特徴は、別の明示的な言及がない限り、選択的なものとして考慮しなければならない。各構成要素又は特徴は、他の構成要素や特徴と結合していない形態で実施することができる。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、他の実施例の対応する構成又は特徴に取って代わってもよい。特許請求の範囲で明示的な引用関係にない請求項を結合して実施例を構成したり、出願後の補正によって新しい請求項として含めたりできることは明らかである。
【０１２８】
本文書で基地局によって行われると説明された特定の動作は場合によってはその上位ノード（ｕｐｐｅｒ  ｎｏｄｅ）によって行われてもよい。すなわち、基地局を含む複数のネットワークノード（ｎｅｔｗｏｒｋ  ｎｏｄｅ）からなるネットワークにおいて端末との通信のために行われる様々な動作を基地局又は基地局以外のネットワークノードで行うことができることは明らかである。基地局は、固定局（ｆｉｘｅｄ  ｓｔａｔｉｏｎ）、Ｎｏｄｅ  Ｂ、ｅＮｏｄｅＢ（ｅＮＢ）、アクセスポイント（ａｃｃｅｓｓ  ｐｏｉｎｔ）などの用語に置き換えてもよい。
【０１２９】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１３０】
ファームウェアやソフトウェアによる具現の場合、本発明の一実施例は、以上で説明した機能又は動作を実行するモジュール、手順、関数などの形態として具現することができる。ソフトウェアコードはメモリユニットに記憶され、プロセッサによって駆動されてもよい。
【０１３１】
メモリユニットは、プロセッサの内部又は外部に設けられ、既に公知の様々な手段によってプロセッサとデータを交換することができる。
【０１３２】
本発明は、本発明の特徴から逸脱しない範囲で他の特定の形態として具体化されてもよいことは当業者には自明である。このため、上記の詳細な説明は、いずれの面においても制限的に解釈されてはならず、例示的なものとして考慮されなければならない。本発明の範囲は、添付した請求項の合理的な解釈によって決定されなければならず、本発明の同等な範囲内における変更はいずれも本発明の範囲に含まれる。
【産業上の利用可能性】
【０１３３】
上述したような搬送波集成を支援する無線通信システムにおいてＤ２Ｄ（Ｄｅｖｉｃｅ−ｔｏ−Ｄｅｖｉｃｅ）信号受信方法及びそのための装置は、３ＧＰＰ  ＬＴＥシステムに適用される例を中心に説明したが、３ＧＰＰ  ＬＴＥシステムの他、様々な無線通信システムにも適用可能である。
【図１】
0006421234.tif 000012
【図２】
0006421234.tif 000013
【図３】
0006421234.tif 000014
【図４】
0006421234.tif 000015
【図５】
0006421234.tif 000016
【図６】
0006421234.tif 000017
【図７】
0006421234.tif 000018
【図８】
0006421234.tif 000019
【図９】
0006421234.tif 000020
【図１０】
0006421234.tif 000021
【図１１】
0006421234.tif 000022
【図１２】
0006421234.tif 000023